(57)【要約】【課題】  オートスキャン時に、スマートアンテナの最適な指向方向を決定する処理を不要とすることができる放送受信装置およびおよびそれを用いたテレビを提供する。【解決手段】  チューナ１６は、アンテナ３０を介して受信する複数のチャンネルを含む放送信号の中から、選択したチャンネルに対応する放送信号を抽出する。デコーダ１８，２０，２２は、チューナ１６から受けた放送信号から映像信号および音声信号を生成する。制御部１０は、ユーザによるチャンネルの選択時には毎回、受信方向切換部２４に対してユーザが選択した受信方向への切換えの指示を行なわせ、それによりデコーダ１８，２０，２２によって生成された映像信号および音声信号をテレビ４０に表示させ、ユーザから方向決定指令が入力されたときに、選択中の受信方向を選択されているチャンネルについてのアンテナ３０の受信方向をして決定する。【選択図】        図１
2006042157.tif 000002
【特許請求の範囲】
【請求項１】
指向性の切換えが可能な受信アンテナに対して、受信方向の切換えを指示する指令手段と、
前記受信アンテナを介して受信する複数のチャンネルを含む放送信号の中から、選択したチャンネルに対応する放送信号を抽出する選局手段と、
前記選局手段から受けた放送信号から映像信号および音声信号を生成する信号処理手段と、
チャンネルと対応させて受信方向を記憶する記憶手段と、
ユーザによって第１のモードが選択された場合に、ユーザによるチャンネルの選択時には毎回、前記指令手段に対して、ユーザが選択した受信方向への切換えの指示を行なわせ、それにより前記信号処理手段によって生成された映像信号および音声信号を表示させ、ユーザから方向決定指令が入力されたときに、選択中の受信方向を前記選択されているチャンネルについての前記受信アンテナの受信方向をして決定する制御手段とを備え、
前記制御手段は、ユーザによって第２のモードが選択された場合に、ユーザによるチャンネルの選択時に、選択されたチャンネルが初めて選択されたチャンネルのときに、前記指令手段に対して、ユーザが選択した受信方向への切換えの指示を行なわせ、それにより前記信号処理手段によって生成された映像信号および音声信号を表示させ、ユーザから方向決定指令が入力されたときに、選択中の受信方向を前記選択されているチャンネルについての前記受信アンテナの受信方向をして決定し、前記決定した受信方向を前記選択されているチャンネルと対応させて記憶手段に書込み、選択されたチャンネルが２回目以降に選択されたチャンネルのときに、前記記憶手段から前記選択されたチャンネルに対応する受信方向を読出し、前記読出した受信方向を前記選択されているチャンネルについての前記受信アンテナの受信方向として決定し、
前記制御手段は、ユーザによって第３のモードが選択された場合に、ユーザによるチャンネルの選択時には毎回、前記指令手段に対して、受信方向の順次切換えの指示を行なわせる方向検索制御を行ない、それにより前記信号処理手段によって順次生成された映像信号および音声信号に基づき選択中の受信方向の受信の適正を示す情報を生成し、全方位について前記方向検索制御および前記判定が終了後、前記生成された受信の適正が最適な受信方向を前記選択されているチャンネルについての前記受信アンテナの受信方向として決定し、
前記制御手段は、ユーザによって第４のモードが選択された場合に、ユーザによるチャンネルの選択時に、選択されたチャンネルが初めて選択されたチャンネルのときに、前記指令手段に対して、受信方向の順次切換えの指示を行なわせる方向検索制御を行ない、それにより前記信号処理手段によって順次生成された映像信号および音声信号に基づき選択中の受信方向の受信の適正を示す情報を生成し、全方位について前記方向検索制御および前記判定が終了後、前記生成された受信の適正が最適な受信方向を前記選択されているチャンネルについての前記受信アンテナの受信方向として決定し、前記決定した受信方向を前記選択されているチャンネルと対応させて記憶手段に書込み、選択されたチャンネルが２回目以降に選択されたチャンネルのときに、前記記憶手段から前記選択されたチャンネルに対応する受信方向を読出し、前記読出した受信方向を前記選択されているチャンネルについての前記受信アンテナの受信方向として決定する、放送受信装置。
【請求項２】
指向性の切換えが可能な受信アンテナに対して、受信方向の切換えを指示する指令手段と、
前記受信アンテナを介して受信する複数のチャンネルを含む放送信号の中から、選択したチャンネルに対応する放送信号を抽出する選局手段と、
前記選局手段から受けた放送信号から映像信号および音声信号を生成する信号処理手段と、
ユーザによるチャンネルの選択時には毎回、前記指令手段に対して、ユーザが選択した受信方向への切換えの指示を行なわせ、それにより前記信号処理手段によって生成された映像信号および音声信号を表示させ、ユーザから方向決定指令が入力されたときに、選択中の受信方向を前記選択されているチャンネルについての前記受信アンテナの受信方向をして決定する制御手段とを備えた放送受信装置。
【請求項３】
指向性の切換えが可能な受信アンテナに対して、受信方向の切換えを指示する指令手段と、
前記受信アンテナを介して受信する複数のチャンネルを含む放送信号の中から、選択したチャンネルに対応する放送信号を抽出する選局手段と、
前記選局手段から受けた放送信号から映像信号および音声信号を生成する信号処理手段と、
チャンネルと対応させて受信方向を記憶する記憶手段と、
ユーザによるチャンネルの選択時に、選択されたチャンネルが初めて選択されたチャンネルのときに、前記指令手段に対して、ユーザが選択した受信方向への切換えの指示を行なわせ、それにより前記信号処理手段によって生成された映像信号および音声信号を表示させ、ユーザから方向決定指令が入力されたときに、選択中の受信方向を前記選択されているチャンネルについての前記受信アンテナの受信方向をして決定し、前記決定した受信方向を前記選択されているチャンネルと対応させて記憶手段に書込み、
選択されたチャンネルが２回目以降に選択されたチャンネルのときに、前記記憶手段から前記選択されたチャンネルに対応する受信方向を読出し、前記読出した受信方向を前記選択されているチャンネルについての前記受信アンテナの受信方向として決定する制御手段とを備えた放送受信装置。
【請求項４】
指向性の切換えが可能な受信アンテナに対して、受信方向の切換えを指示する指令手段と、
前記受信アンテナを介して受信する複数のチャンネルを含む放送信号の中から、選択したチャンネルに対応する放送信号を抽出する選局手段と、
前記選局手段から受けた放送信号から映像信号および音声信号を生成する信号処理手段と、
ユーザによるチャンネルの選択時には毎回、前記指令手段に対して、受信方向の順次切換えの指示を行なわせる方向検索制御を行ない、それにより前記信号処理手段によって順次生成された映像信号および音声信号に基づき選択中の受信方向の受信の適正を示す情報を生成し、全方位について前記方向検索制御および前記判定が終了後、前記生成された受信の適正が最適な受信方向を前記選択されているチャンネルについての前記受信アンテナの受信方向として決定する制御手段とを備えた放送受信装置。
【請求項５】
指向性の切換えが可能な受信アンテナに対して、受信方向の切換えを指示する指令手段と、
前記受信アンテナを介して受信する複数のチャンネルを含む放送信号の中から、選択したチャンネルに対応する放送信号を抽出する選局手段と、
前記選局手段から受けた放送信号から映像信号および音声信号を生成する信号処理手段と、
チャンネルと対応させて受信方向を記憶する記憶手段と、
ユーザによるチャンネルの選択時に、選択されたチャンネルが初めて選択されたチャンネルのときに、前記指令手段に対して、受信方向の順次切換えの指示を行なわせる方向検索制御を行ない、それにより前記信号処理手段によって順次生成された映像信号および音声信号に基づき選択中の受信方向の受信の適正を示す情報を生成し、全方位について前記方向検索制御および前記判定が終了後、前記生成された受信の適正が最適な受信方向を前記選択されているチャンネルについての前記受信アンテナの受信方向として決定し、前記決定した受信方向を前記選択されているチャンネルと対応させて記憶手段に書込み、
選択されたチャンネルが２回目以降に選択されたチャンネルのときに、前記記憶手段から前記選択されたチャンネルに対応する受信方向を読出し、前記読出した受信方向を前記選択されているチャンネルについての前記受信アンテナの受信方向として決定する制御手段とを備えた放送受信装置。
【請求項６】
請求項１〜５のいずれか１項に記載の放送受信装置を備えたテレビ。
【発明の詳細な説明】
【技術分野】
【０００１】
この発明は放送受信装置およびそれを備えたテレビに関し、特に指向性の切換えが可能なアンテナを使用する放送受信装置およびそれを備えたテレビに関する。
【背景技術】
【０００２】
テレビ放送には、ＶＨＦ（Very High Frequency）およびＵＨＦ（Ultra High Frequency）の周波数帯域が割当てられている。一般的に、テレビ放送の信号受信には八木アンテナが用いられる。
【０００３】
八木アンテナは、反射器、放射器および導波器で構成されており、反射器の働きにより導波器側へ強い指向性を有し、利得も大きいといった長所がある。
【０００４】
良好な受信ができるように、八木アンテナは、放送局の方向とその指向性を一致するように設置される。一般的には、家屋の屋根等に固定して設置されるので、一旦設置されてしまうと、その指向性を変更することは容易ではない。
【０００５】
そのため、複数の放送局が分散して存在している場合には、その指向性に応じた特定の方向にある放送局の放送信号しか受信できなかった。
【０００６】
そこで、指向性を複数種類に切換えて、分散して存在する各放送局からの電波を受信できるスマートアンテナが考案されている。
【０００７】
このスマートアンテナは、複数のアンテナ素子で構成され、各アンテナ素子を適当な振幅および位相により励振することで指向性を切換えることができる。
【０００８】
したがって、上述のスマートアンテナを用いることで、放送局が分散して存在している場合でも各放送局からの電波が受信可能となる。
【０００９】
特許文献１には、複数の八木アンテナに対して位相差給電を行なうことで、指向性を変更できるアンテナが示されている。
【００１０】
また、特許文献２には、リモコンによるチャンネル選択によって、当該チャンネルに対応するようにアンテナの指向性を調整するアンテナ切換器が示されている。
【００１１】
ところで、放送受信装置は、テレビ放送に割当てられているチャンネル群の中から、実際に視聴可能なチャンネルを検索して自動割付を行なう、いわゆるオートスキャン機能を備えている。
【００１２】
スマートアンテナを用いた放送受信装置においては、割当てられているチャンネルを順次選択し、選択したチャンネルごとに、スマートアンテナの受信方向を全方位にわたるように順次切換えて、それにより順次受信する放送信号を信号処理することによって、アンテナの最適な受信方向を決定する。
【特許文献１】特開平１１−３３０８４０号公報
【特許文献２】特開２００１−１６８６２７号公報
【発明の開示】
【発明が解決しようとする課題】
【００１３】
しかしながら、オートスキャン時にアンテナの最適な受信方向な決定するためには、スマートアンテナの受信方向を全方位にわたるように順次切換えて、それにより順次受信する放送信号を信号処理しなければならず、しかも、それを割当てられているすべてのチャンネルについて行なわなければならず、処理時間が膨大となる。
【００１４】
そこで、この発明は、かかる問題を解決するためになされたものであり、その目的は、オートスキャン時に、スマートアンテナの最適な指向方向を決定する処理を不要とすることのできる放送受信装置およびそれを用いたテレビを提供することである。
【課題を解決するための手段】
【００１５】
この発明のある局面に係る放送受信装置は、指向性の切換えが可能な受信アンテナに対して、受信方向の切換えを指示する指令手段と、受信アンテナを介して受信する複数のチャンネルを含む放送信号の中から、選択したチャンネルに対応する放送信号を抽出する選局手段と、選局手段から受けた放送信号から映像信号および音声信号を生成する信号処理手段と、チャンネルと対応させて受信方向を記憶する記憶手段と、ユーザによって第１のモードが選択された場合に、ユーザによるチャンネルの選択時には毎回、指令手段に対して、ユーザが選択した受信方向への切換えの指示を行なわせ、それにより信号処理手段によって生成された映像信号および音声信号を表示させ、ユーザから方向決定指令が入力されたときに、選択中の受信方向を選択されているチャンネルについての受信アンテナの受信方向をして決定する制御手段とを備え、制御手段は、ユーザによって第２のモードが選択された場合に、ユーザによるチャンネルの選択時に、選択されたチャンネルが初めて選択されたチャンネルのときに、指令手段に対して、ユーザが選択した受信方向への切換えの指示を行なわせ、それにより信号処理手段によって生成された映像信号および音声信号を表示させ、ユーザから方向決定指令が入力されたときに、選択中の受信方向を選択されているチャンネルについての受信アンテナの受信方向をして決定し、決定した受信方向を選択されているチャンネルと対応させて記憶手段に書込み、選択されたチャンネルが２回目以降に選択されたチャンネルのときに、記憶手段から選択されたチャンネルに対応する受信方向を読出し、読出した受信方向を選択されているチャンネルについての受信アンテナの受信方向として決定し、制御手段は、ユーザによって第３のモードが選択された場合に、ユーザによるチャンネルの選択時には毎回、指令手段に対して、受信方向の順次切換えの指示を行なわせる方向検索制御を行ない、それにより信号処理手段によって順次生成された映像信号および音声信号に基づき選択中の受信方向の受信の適正を示す情報を生成し、全方位について方向検索制御および判定が終了後、生成された受信の適正が最適な受信方向を選択されているチャンネルについての受信アンテナの受信方向として決定し、制御手段は、ユーザによって第４のモードが選択された場合に、ユーザによるチャンネルの選択時に、選択されたチャンネルが初めて選択されたチャンネルのときに、指令手段に対して、受信方向の順次切換えの指示を行なわせる方向検索制御を行ない、それにより信号処理手段によって順次生成された映像信号および音声信号に基づき選択中の受信方向の受信の適正を示す情報を生成し、全方位について方向検索制御および判定が終了後、生成された受信の適正が最適な受信方向を選択されているチャンネルについての受信アンテナの受信方向として決定し、決定した受信方向を選択されているチャンネルと対応させて記憶手段に書込み、選択されたチャンネルが２回目以降に選択されたチャンネルのときに、記憶手段から選択されたチャンネルに対応する受信方向を読出し、読出した受信方向を選択されているチャンネルについての受信アンテナの受信方向として決定する。
【００１６】
また、本発明の別の局面に係る放送受信装置は、指向性の切換えが可能な受信アンテナに対して、受信方向の切換えを指示する指令手段と、受信アンテナを介して受信する複数のチャンネルを含む放送信号の中から、選択したチャンネルに対応する放送信号を抽出する選局手段と、選局手段から受けた放送信号から映像信号および音声信号を生成する信号処理手段と、ユーザによるチャンネルの選択時には毎回、指令手段に対して、ユーザが選択した受信方向への切換えの指示を行なわせ、それにより信号処理手段によって生成された映像信号および音声信号を表示させ、ユーザから方向決定指令が入力されたときに、選択中の受信方向を選択されているチャンネルについての受信アンテナの受信方向をして決定する制御手段とを備える。
【００１７】
また、本発明のさらに別の局面に係る放送受信装置は、指向性の切換えが可能な受信アンテナに対して、受信方向の切換えを指示する指令手段と、受信アンテナを介して受信する複数のチャンネルを含む放送信号の中から、選択したチャンネルに対応する放送信号を抽出する選局手段と、選局手段から受けた放送信号から映像信号および音声信号を生成する信号処理手段と、チャンネルと対応させて受信方向を記憶する記憶手段と、ユーザによるチャンネルの選択時に、選択されたチャンネルが初めて選択されたチャンネルのときに、指令手段に対して、ユーザが選択した受信方向への切換えの指示を行なわせ、それにより信号処理手段によって生成された映像信号および音声信号を表示させ、ユーザから方向決定指令が入力されたときに、選択中の受信方向を選択されているチャンネルについての受信アンテナの受信方向をして決定し、決定した受信方向を選択されているチャンネルと対応させて記憶手段に書込み、選択されたチャンネルが２回目以降に選択されたチャンネルのときに、記憶手段から選択されたチャンネルに対応する受信方向を読出し、読出した受信方向を選択されているチャンネルについての受信アンテナの受信方向として決定する制御手段とを備える。
【００１８】
また、本発明のさらに別の局面に係る放送受信装置は、指向性の切換えが可能な受信アンテナに対して、受信方向の切換えを指示する指令手段と、受信アンテナを介して受信する複数のチャンネルを含む放送信号の中から、選択したチャンネルに対応する放送信号を抽出する選局手段と、選局手段から受けた放送信号から映像信号および音声信号を生成する信号処理手段と、ユーザによるチャンネルの選択時には毎回、指令手段に対して、受信方向の順次切換えの指示を行なわせる方向検索制御を行ない、それにより信号処理手段によって順次生成された映像信号および音声信号に基づき選択中の受信方向の受信の適正を示す情報を生成し、全方位について方向検索制御および判定が終了後、生成された受信の適正が最適な受信方向を選択されているチャンネルについての受信アンテナの受信方向として決定する制御手段とを備える。
【００１９】
また、本発明のさらに別の局面に係る放送受信装置は、指向性の切換えが可能な受信アンテナに対して、受信方向の切換えを指示する指令手段と、受信アンテナを介して受信する複数のチャンネルを含む放送信号の中から、選択したチャンネルに対応する放送信号を抽出する選局手段と、選局手段から受けた放送信号から映像信号および音声信号を生成する信号処理手段と、チャンネルと対応させて受信方向を記憶する記憶手段と、ユーザによるチャンネルの選択時に、選択されたチャンネルが初めて選択されたチャンネルのときに、指令手段に対して、受信方向の順次切換えの指示を行なわせる方向検索制御を行ない、それにより信号処理手段によって順次生成された映像信号および音声信号に基づき選択中の受信方向の受信の適正を示す情報を生成し、全方位について方向検索制御および判定が終了後、生成された受信の適正が最適な受信方向を選択されているチャンネルについての受信アンテナの受信方向として決定し、決定した受信方向を選択されているチャンネルと対応させて記憶手段に書込み、選択されたチャンネルが２回目以降に選択されたチャンネルのときに、記憶手段から選択されたチャンネルに対応する受信方向を読出し、読出した受信方向を選択されているチャンネルについての受信アンテナの受信方向として決定する制御手段とを備える。
【００２０】
また、本発明のさらに別の局面に係るテレビは、上述のいずれかの放送受信装置を備える。
【発明の効果】
【００２１】
この発明によれば、オートスキャン時に、スマートアンテナの最適な指向方向を決定する処理を不要とすることができる。
【発明を実施するための最良の形態】
【００２２】
この発明の実施の形態について、図面を参照しながら詳細に説明する。なお、図中の同一または相当部分については、同一符号を付してその説明は繰返さない。
【００２３】
［実施の形態１］
実施の形態１に係る放送受信装置は、オートスキャン時とは別のユーザによるチャンネルの選択時において、ユーザがチャンネルを選択するごとに、選択したチャンネルについてスマートアンテナの受信方向をマニュアル（手動）で決定する。
【００２４】
（放送受信装置の構成）
図１は、この発明の実施の形態１に従う放送受信装置の概略構成図である。
【００２５】
図１を参照して、この発明の実施の形態１に従う放送受信装置１は、スマートアンテナ３０から放送信号を受信し、スマートアンテナ３０に対して受信方向切換信号を出力する。また、放送受信装置１は、テレビ４０に対して映像信号および音声信号を出力する。さらに、放送受信装置１は、リモコン４２から指令信号を受信する。
【００２６】
スマートアンテナ３０は、放送受信装置１から受信方向切換信号を受けて、各アンテナ素子に対する励振を変化させて指向性を切換える。
【００２７】
テレビ４０およびリモコン４２は、周知であるので詳細な説明は省略する。
【００２８】
放送受信装置１は、制御部１０と、チューナ１６と、デジタルデコーダ１８と、ＭＰＥＧデコーダ２２と、受信方向切換部２４と、リモコン受信部２６とからなる。
【００２９】
制御部１０は、プログラムを実行するＣＰＵ（Central Processing Unit）１０ａと、実行されるプログラム、プログラム実行中のデータ、およびプログラム実行結果のデータを記憶するメモリ１０ｂとからなる。
【００３０】
チューナ１６は、受信した放送信号の中から、制御部１０からの指令に応じて選択されたチャンネルに対応する放送信号を抽出して、デジタルデコーダ１８へ出力する。
【００３１】
デジタルデコーダ１８は、チューナ１６から放送信号を受けて、映像および音声の信号であるＭＰＥＧ信号に復号し、そのＭＰＥＧ信号をＭＰＥＧデコーダ２２へ出力する。
【００３２】
ここで、デジタルテレビ放送信号は、リード・ソロモン符号および畳み込み符号で符号化されて送信される。そのため、デジタルデコーダ１８は、上述の復号処理において誤り訂正ができる。この誤り訂正の処理過程において、デジタルデコーダ１８は、受信した放送信号の受信データ誤り率を演算し、その受信データ誤り率を制御部１０へ出力する。このとき、デジタルデコーダ１８は、受信した放送信号に含まれる所定のデータ数毎に誤り訂正を行なうので、受信開始から１フレーム（１／３０秒）以内で受信データ誤り率の演算ができる。
【００３３】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信されるため、誤り訂正が可能であり、その処理過程において受信データ誤り率が演算できる。したがって、この発明の実施の形態１におけるデジタルデコーダ１８は、上述のいずれの方式を用いてもよい。
【００３４】
アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。
【００３５】
ここで、アナログテレビ放送信号には、走査線の水平走査および垂直走査を制御するために、水平同期信号および垂直同期信号が含まれている。アナログデコーダ２０は、映像信号の復号を行なうために、上述の水平同期信号および垂直同期信号を捕捉する必要がある。
【００３６】
なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００３７】
水平同期信号を捕捉するにあたり、アナログデコーダ２０は、受信した放送信号に対して、雑音除去処理、周波数分離処理、同期信号分離処理および整形増幅処理等を行なう。それゆえ、受信開始から水平同期信号の捕捉までには、上述のデジタルデコーダ１８における受信データ誤り率の演算に比較して、多くの時間を要する。
【００３８】
なお、アナログテレビ放送は、日本や米国等のＮＴＳＣ（National System Committee）方式の他に、ドイツやイギリス等のＰＡＬ（Phase Alternation by Line）方式およびフランス等のＳＥＣＡＭ（Sequentiel Couleur a Memoire）方式があるが、いずれの方式においても放送信号に水平同期信号が含まれているため、水平同期信号の捕捉の可否により受信状態を判断できる。
【００３９】
したがって、この発明の実施の形態１におけるアナログデコーダ２０は、上述のいずれの方式を用いてもよい。
【００４０】
ＭＰＥＧデコーダ２２は、制御部１０からの指令に応じて選択した、デジタルデコーダ１８またはアナログデコーダ２０から受けた信号を映像信号および音声信号に復号してテレビ４０へ出力する。
【００４１】
ＭＰＥＧデコーダ２２は、さらにＯＳＤ（On Screen Display）２２ａを備える。
【００４２】
ＯＳＤ２２ａは、制御部１０からの指令に応じて、テレビ４０の画面上に情報を表示するための信号を生成する。
【００４３】
ＭＰＥＧデコーダ２２は、ＯＳＤ２２ａで信号が生成された場合には、復号した映像信号と、ＯＳＤ２２ａが生成した信号とを合成した後、合成した信号をテレビ４０へ出力する。
【００４４】
受信方向切換部２４は、制御部１０からの指令に応じて、受信方向切換信号をスマートアンテナ３０へ出力する。
【００４５】
リモコン受信部２６は、リモコン４２からの指令を受信して制御部１０へ出力する。ユーザは、所望の動作を行なわせるためリモコン４２を用いて、指令を送信する。
【００４６】
（受信方向について）
実施の形態１では、スマートアンテナ３０は、指向性を切換えることにより水平面に対して１６分割された各方向に受信方向を変更できるとして説明する。
【００４７】
図２は、この発明の実施の形態１に従うスマートアンテナの受信方向切換図である。簡単化のため、図２に示すように時計回り（正の回転方向）に１，２，・・・，１６と各受信方向に番号付けを行なう。
【００４８】
（オートスキャンの動作）
まず、オートスキャンを実行して、放送に割当てられているチャンネルの中から視聴可能なチャンネルを取得する処理について説明する。
【００４９】
図３は、この発明の実施の形態１に従うオートスキャンを実行するプログラムのフローチャートである。
【００５０】
図３を参照して、制御部１０は、テレビ放送に割当てられているチャンネルの中から先頭のチャンネルを選択する（ステップＳ１０）。
【００５１】
次に、制御部１０は、受信方向番号が「１」である先頭の受信方向を選択する（ステップＳ１２）。
【００５２】
受信方向切換部２４は、受信方向番号「１」への切換信号をスマートアンテナ３０へ出力する。スマートアンテナ３０は、受信方向切換部２４から受信方向切換信号を受けて、各アンテナ素子に対する励振を変化させて指向性を切換える。
【００５３】
また、チューナ１６は、スマートアンテナ３０から受信した放送信号の中から、制御部１０からの指令に応じて選択された先頭のチャンネルに対応する放送信号を抽出する。チューナ１６は、選択しているチャンネルがデジタル放送のチャンネルの場合（ステップＳ１３においてＹＥＳの場合）には、抽出した放送信号をデジタルデコーダ１８へ出力し、選択しているチャンネルがアナログ放送のチャンネルの場合（ステップＳ１３においてＮＯの場合）には、抽出した放送信号をアナログデコーダ２０へ出力する。
【００５４】
選択しているチャンネルがデジタル放送のチャンネルの場合（ステップＳ１３においてＹＥＳの場合）に、デジタルデコーダ１８は、チューナ１６から放送信号を受けて、ＭＰＥＧ信号に復号する。また、デジタルデコーダ１８は、受信データ誤り率の演算を行い、その受信データ誤り率を制御部１０へ出力する。
【００５５】
選択しているチャンネルがアナログ放送のチャンネルの場合（ステップＳ１３においてＮＯの場合）に、アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。
【００５６】
制御部１０は、選択されているチャンネルがデジタル放送のチャンネルの場合（ステップＳ１３においてＹＥＳの場合）には、受信可否を判断するため、受信データ誤り率が規定値以下か否かを判断する（ステップＳ１４）。本発明の実施形態においては、一例として規定値を１０％として、制御部１０は、受信データ誤り率が１０％以下であれば、受信可能と判断する。
【００５７】
制御部１０は、選択されているチャンネルがアナログ放送のチャンネルの場合（ステップＳ１３においてＮＯの場合）には、受信可否を判断するため、水平同期信号が捕捉できたか否かを判断する（ステップＳ１５）。制御部１０は、水平同期信号が捕捉できたときには、受信可能と判断する。
【００５８】
受信データ誤り率が規定値を超えている場合（ステップＳ１４においてＮＯの場合）または、水平同期信号が捕捉できなかった場合（ステップＳ１５においてＮＯの場合）には、制御部１０は、最後の受信方向が選択中か否かを判断する（ステップＳ１６）。すなわち、制御部１０は、図２に示すように受信方向「１６」を選択中か否かを判断する。
【００５９】
最後の受信方向が選択中の場合（ステップＳ１６においてＮＯの場合）には、制御部１０は、次の受信方向番号の受信方向、すなわち、正の回転方向に＋２２．５度変化した受信方向を選択する（ステップＳ１８）。
【００６０】
以下、上述したステップＳ１３，Ｓ１４，Ｓ１５，Ｓ１６，Ｓ１８を、ステップＳ１４において受信データ誤り率が規定値以下となるか、ステップＳ１５において水平同期信号が捕捉できるか、またはステップＳ１６において最後の受信方向が選択中となるまで繰返す。
【００６１】
制御部１０は、受信データ誤り率が規定値以下の場合（ステップＳ１４においてＹＥＳの場合）、または水平同期信号が捕捉できる場合（ステップＳ１５においてＹＥＳの場合）には、受信可能と判断して、選択しているチャンネル番号をメモリ１０ｂに格納する（ステップＳ２０）。
【００６２】
最後の受信方向が選択中の場合（ステップＳ１６においてＹＥＳの場合）には、制御部１０は、最後のチャンネルが選択中か否かを判断する（ステップＳ２４）。
【００６３】
最後のチャンネルが選択中の場合（ステップＳ２４においてＮＯの場合）には、制御部１０は、次のチャンネルを選択する（ステップＳ２６）。
【００６４】
以下、上述したステップＳ１２，Ｓ１３，Ｓ１４，Ｓ１５，Ｓ１６，Ｓ１８，Ｓ２０，Ｓ２４，Ｓ２６を、ステップＳ２４において最後のチャンネルが選択中となるまで繰返す。
【００６５】
以上の処理により、放送に割当てられているチャンネルの中から視聴可能なチャンネルのチャンネル番号がメモリ１０ｂ内に取得され、自動割付けがなされる。
【００６６】
（選局時の方向検索）
次に、ユーザがチャンネルを選択したとき（選局時）に、選択したチャンネルの受信方向を取得する処理について説明する。
【００６７】
図４は、この発明の実施の形態１に従う選局時の受信方向を決定するプログラムのフローチャートである。
【００６８】
図４を参照して、制御部１０は、リモコン４２を通じてユーザから選局指令、すなわちチャンネルの選択を受けると（ステップＳ１０１でＹＥＳ）、選択されたチャンネルをチューナ１６に通知する。
【００６９】
次に、制御部１０は、リモコン４２を通じてユーザから受信方向選択指令を受けると（ステップＳ１０２でＹＥＳ）、選択された受信方向を受信方向切替部２４に通知する。
【００７０】
受信方向切換部２４は、制御部１０から通知された受信方向への切換信号をスマートアンテナ３０へ出力する。スマートアンテナ３０は、受信方向切換部２４から受信方向切換信号を受けて、各アンテナ素子に対する励振を変化させて指向性を切換える（ステップＳ１０３）。
【００７１】
チューナ１６は、スマートアンテナ３０から受信した放送信号の中から、制御部１０から通知されたチャンネルに対応する放送信号を抽出する。チューナ１６は、選択しているチャンネルがデジタル放送のチャンネルの場合には、抽出した放送信号をデジタルデコーダ１８へ出力するとともに、ＭＰＥＧデコーダ２２にデジタルデコーダ１８からの出力を選択させる。また、チューナ１６は、選択しているチャンネルがアナログ放送のチャンネルの場合には、抽出した放送信号をアナログデコーダ２０へ出力するとともに、ＭＰＥＧデコーダ２２にアナログデコーダ２０からの出力を選択させる。
【００７２】
選択しているチャンネルがデジタル放送のチャンネルの場合に、デジタルデコーダ１８は、チューナ１６から放送信号を受けて、ＭＰＥＧ信号に復号する。選択しているチャンネルがアナログ放送のチャンネルの場合に、アナログデコーダ２０は、チューナ１６から放送信号を受けて、映像および音声の信号へ復号した後に、デジタル化した映像音声信号をＭＰＥＧデコーダ２２へ出力する。
【００７３】
ＭＰＥＧデコーダ２２は、制御部１０からの指令に応じて選択した、デジタルデコーダ１８またはアナログデコーダ２０から受けた信号を映像信号および音声信号に復号する。
【００７４】
ＯＳＤ２２ａは、テレビ４０の画面上に、選択している受信信号を表わす情報を表示するための信号を生成する。
【００７５】
ＭＰＥＧデコーダ２２は、復号した映像信号と、ＯＳＤ２２ａが生成した信号とを合成した後、合成した信号と音声信号とをテレビ４０へ出力する（ステップＳ１０４）。
【００７６】
図５は、この発明の実施の形態１に従う映像信号と、選択している受信方向を表わす情報とを表示する画面の例を示す図である。
【００７７】
図５を参照して、テレビ４０に、映像信号とともに、選択している受信方向を表わす情報１００が表示される。
【００７８】
ユーザは、テレビ４０に表示されている映像信号を見て、選択している受信方向で良いと判断したときには、リモコン４２を通じて受信方向決定指令を入力し、受信方向を変更したいと判断したときには、リモコン４２を通じて、受信方向選択指定を入力する。
【００７９】
制御部１０は、リモコン４２を通じてユーザから受信方向決定指令を受けると（ステップＳ１０５でＹＥＳ）、決定された受信方向を選択されたチャンネルの受信方向として決定する（ステップＳ１０６）。
【００８０】
制御部１０は、リモコン４２を通じてユーザから受信方向選択指令を受けると（ステップＳ１０７でＹＥＳ）、選択された受信方向を受信方向切替部２４に通知し、ステップＳ１０３からの処理を再実行させる。
【００８１】
制御部１０は、受信方向決定指令および受信方向選択指令を受けないとき（ステップＳ１０５でＮＯ、かつステップＳ１０７でＮＯのとき）には、受信方向を現状のまま維持しする。その結果、ステップＳ１０４にて、テレビ４０に、復号された映像信号と、選択している受信方向を示す情報を示す信号とを合成した信号と音声信号とがテレビ４０へ出力される。
【００８２】
以下、ステップＳ１０８においてリモコン４２を通じて終了指令が選択されるまで、ユーザから選局指令があるごとに、上述したステップＳ１０２〜Ｓ１０７の処理を繰返す。
【００８３】
以上の処理により、チャンネルが選択されるごとに、受信方向がマニュアルで決定される。
【００８４】
以上のように、実施の形態１によれば、オートスキャン時とは別のユーザによるチャンネルの選択時において、ユーザがチャンネルを選択するごとに、選択したチャンネルのスマートアンテナの受信方向をマニュアル（手動）で決定するので、オートスキャン時にスマートアンテナの最適な受信方向を決定する処理が不要となり、オートスキャンを高速に行なうことができる。また、ユーザがチャンネルを選択するごとに、スマートアンテナの受信方向が決定されるので、受信方向をメモリに記憶しておく必要がなく、メモリ容量を節約することができる。また、ユーザがマニュアルでスマートアンテナの受信方向が決定されるので、ユーザの嗜好に合ったスマートアンテナの受信方向を決定することができる。
【００８５】
［実施の形態２］
実施の形態２に係る放送受信装置は、オートスキャン時とは別のユーザによるチャンネルの選択時において、ユーザが選択したチャンネルが初めて選択されたチャンネルの場合に、選択したチャンネルについてスマートアンテナの受信方向をマニュアル（手動）で決定するとともに、決定した受信方向を記憶し、ユーザが選択したチャンネルが２回目以降に選択されたチャンネルの場合に、記憶されている受信方向を用いる。
【００８６】
（選局時の方向検索）
以下、ユーザがチャンネルを選択したとき（選局時）に、選択したチャンネルの受信方向を取得する処理について説明する。
【００８７】
図６は、この発明の実施の形態２に従う選局時の受信方向を決定するプログラムのフローチャートである。
【００８８】
図６を参照して、制御部１０は、リモコン４２を通じてユーザから選局指令、すなわちチャンネルの選択を受けると（ステップＳ２０１でＹＥＳ）、選択されたチャネルが初めて選択されたものであるか否かを調べる。すなわち、制御部１０は、選択されたチャンネルがメモリ１０ｂに受信方向番号が保存されているチャンネルの場合には、初めて選択されたチャンネルと判断し、選択されたチャンネルがメモリ１０ｂに受信方向番号が保存されていないチャンネルの場合には、初めて選択されたチャンネルでないと判断する。
【００８９】
制御部１０は、選択されたチャンネルが初めて選択されたチャンネルでない場合（ステップＳ２０２でＮＯの場合）には、メモリ１０ｂから選択されたチャンネルの受信方向番号を読出し、その受信方向を受信方向切替部２４に通知する（ステップＳ２０３）。
【００９０】
受信方向切換部２４は、制御部１０から通知された受信方向への切換信号をスマートアンテナ３０へ出力する。スマートアンテナ３０は、受信方向切換部２４から受信方向切換信号を受けて、各アンテナ素子に対する励振を変化させて指向性を切換える（ステップＳ２０４）。
【００９１】
制御部１０は、選択されたチャンネルが初めて選択されたチャンネルである場合（ステップＳ２０２でＹＥＳの場合）には、図４に示すフローチャートのステップＳ１０２〜Ｓ１０７の処理の実行を制御する（ステップＳ２０５）。
【００９２】
さらに、制御部１０は、ステップＳ１０２〜Ｓ１０７の処理を実行することによって、選択されたチャンネルの受信方向が決定されると、選択されたチャンネルのチャンネル番号と対応させて、決定された受信方向の受信方向番号をメモリ１０ｂに保存する（ステップＳ２０６）。
【００９３】
以下、ステップＳ２０７においてリモコン４２を通じて終了指令が選択されるまで、ユーザから選局指令があるごとに、上述したステップＳ２０２〜Ｓ２０６の処理を繰返す。
【００９４】
以上の処理により、選択されたチャンネルが初回選択のときに、受信方向がマニュアルで設定される。
【００９５】
以上のように、実施の形態２によれば、オートスキャン時とは別のユーザによるチャンネルの選択時において、ユーザが選択したチャンネルが初めて選択されたチャンネルの場合に、選択したチャンネルについてスマートアンテナの受信方向をマニュアル（手動）で決定するとともに、決定した受信方向を記憶し、ユーザが選択したチャンネルが２回目以降に選択されたチャンネルの場合に、記憶されている受信方向を用いるので、オートスキャン時にスマートアンテナの最適な受信方向を決定する処理が不要となり、オートスキャンを高速に行なうことができる。また、ユーザが選択したチャンネルが初めて選択されたチャンネルのときのみスマートアンテナの受信方向の決定を行なうので、ユーザの煩雑さを軽減することができる。また、ユーザがマニュアルでスマートアンテナの受信方向が決定されるので、ユーザの嗜好に合ったスマートアンテナの受信方向を決定することができる。
【００９６】
［実施の形態３］
実施の形態３に係る放送受信装置は、オートスキャン時とは別のユーザによるチャンネルの選択時において、ユーザがチャンネルを選択するごとに、選択したチャンネルについてスマートアンテナの受信方向を自動で決定する。
【００９７】
（選局時の方向検索）
以下、ユーザがチャンネルを選択したとき（選局時）に、選択したチャンネルの受信方向を取得する処理について説明する。
【００９８】
図７は、この発明の実施の形態３に従う選局時の受信方向を決定するプログラムのフローチャートである。
【００９９】
図７を参照して、制御部１０は、リモコン４２を通じてユーザから選局指令、すなわちチャンネルの選択を受けると（ステップＳ３０１でＹＥＳ）、選択されたチャンネルをチューナ１６に通知する。
【０１００】
次に、制御部１０は、受信方向番号が「１」である先頭の受信方向を選択する（ステップＳ３０２）。
【０１０１】
受信方向切換部２４は、受信方向番号「１」への切換信号をスマートアンテナ３０へ出力する。スマートアンテナ３０は、受信方向切換部２４から受信方向切換信号を受けて、各アンテナ素子に対する励振を変化させて指向性を切換える。
【０１０２】
また、チューナ１６は、スマートアンテナ３０から受信した放送信号の中から、制御部１０からの指令に応じて選択されたチャンネルに対応する放送信号を抽出する。チューナ１６は、選択しているチャンネルがデジタル放送のチャンネルの場合（ステップＳ３０３においてＹＥＳの場合）には、抽出した放送信号をデジタルデコーダ１８へ出力し、選択しているチャンネルがアナログ放送のチャンネルの場合（ステップＳ３０３においてＮＯの場合）には、抽出した放送信号をアナログデコーダ２０へ出力する。
【０１０３】
選択しているチャンネルがデジタル放送のチャンネルの場合（ステップＳ３０３においてＹＥＳの場合）に、デジタルデコーダ１８は、チューナ１６から放送信号を受けて、ＭＰＥＧ信号に復号する。また、デジタルデコーダ１８は、受信データ誤り率の演算を行い、その受信データ誤り率を制御部１０へ出力する。制御部１０は、選択している受信方向の受信方向番号と対応させて受信データ誤り率をメモリ１０ｂに保存する（ステップＳ３０４）。
【０１０４】
選択しているチャンネルがアナログ放送のチャンネルの場合（ステップＳ３０３においてＮＯの場合）に、アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。制御部１０は、選択している受信方向の受信方向番号と対応させて水平同期信号の捕捉の可否をメモリ１０ｂに保存する（ステップＳ３０５）。
【０１０５】
次に、制御部１０は、最後の受信方向が選択中か否かを判断する（ステップＳ３０６）。すなわち、制御部１０は、図２に示すように受信方向「１６」を選択中か否かを判断する。
【０１０６】
最後の受信方向が選択中の場合（ステップＳ３０６においてＮＯの場合）には、制御部１０は、次の受信方向番号の受信方向、すなわち、正の回転方向に＋２２．５度変化した受信方向を選択する（ステップＳ３０７）。
【０１０７】
以下、上述したステップＳ３０３〜Ｓ３０５をステップＳ３０６において最後の受信方向が選択中となるまで繰返す。
【０１０８】
最後の受信方向が選択中の場合（ステップＳ３０６においてＹＥＳの場合）には、制御部１０は、選択されているチャンネルがデジタル放送のチャンネルの場合（ステップＳ３０８でＹＥＳの場合）には、受信データ誤り率が最小であることが受信の適正が最適であるとして、メモリ１０ｂに保存されている受信データ誤り率のうち、最小の受信データ誤り率を特定して、特定した受信データ誤り率に対応する受信方向を選択しているチャンネルの受信方向に決定する（ステップＳ３０９）。
【０１０９】
制御部１０は、選択されているチャンネルがアナログ放送のチャンネルの場合（ステップＳ３０８でＮＯの場合）には、水平同期信号が捕捉できることが受信の適正が最適であるとして、メモリ１０ｂに水平同期信号の捕捉が可能な受信方向として保存されている受信方向のうちの任意の１つの受信方向を選択しているチャンネルの受信方向に決定する。水平同期信号の捕捉が不可能なときには、全方向のうちの任意の１つの受信方向を選択しているチャンネルの受信方向に決定する（ステップＳ３１０）。
【０１１０】
以下、ステップＳ３１１においてリモコン４２を通じて終了指令が選択されるまで、ユーザから選局指令があるごとに、上述したステップＳ３０２〜Ｓ３１０の処理を繰返す。
【０１１１】
以上の処理により、チャンネルが選択されるごとに、受信方向が自動で決定される。
【０１１２】
以上のように、実施の形態３によれば、オートスキャン時とは別のユーザによるチャンネルの選択時において、ユーザがチャンネルを選択するごとに、選択したチャンネルのスマートアンテナの受信方向を自動で決定するので、オートスキャン時にスマートアンテナの最適な受信方向を決定する処理が不要となり、オートスキャンを高速に行なうことができる。また、ユーザがチャンネルを選択するごとに、スマートアンテナの受信方向が決定されるので、受信方向をメモリに記憶しておく必要がなく、メモリ容量を節約することができる。また、自動でスマートアンテナの受信方向が決定されるので、ユーザに操作を強いることがなくユーザの煩雑さを解消することができる。
【０１１３】
［実施の形態４］
実施の形態４に係る放送受信装置は、オートスキャン時とは別のユーザによるチャンネルの選択時において、ユーザが選択したチャンネルが初めて選択されたチャンネルの場合に、選択したチャンネルについてスマートアンテナの受信方向を自動で決定するとともに、決定した受信方向を記憶し、ユーザが選択したチャンネルが２回目以降に選択されたチャンネルの場合に、記憶されている受信方向を用いる。
【０１１４】
（選局時の方向検索）
以下、ユーザがチャンネルを選択したとき（選局時）に、選択したチャンネルの受信方向を取得する処理について説明する。
【０１１５】
図８は、この発明の実施の形態４に従う選局時の受信方向を決定するプログラムのフローチャートである。
【０１１６】
図８を参照して、制御部１０は、リモコン４２を通じてユーザから選局指令、すなわちチャンネルの選択を受けると（ステップＳ４０１でＹＥＳ）、選択されたチャネルが初めて選択されたものであるか否かを調べる。すなわち、制御部１０は、選択されたチャンネルがメモリ１０ｂに受信方向番号が保存されているチャンネルの場合には、初めて選択されたチャンネルと判断し、選択されたチャンネルがメモリ１０ｂに受信方向番号が保存されていないチャンネルの場合には、初めて選択されたチャンネルでないと判断する。
【０１１７】
制御部１０は、選択されたチャンネルが初めて選択されたチャンネルでない場合（ステップＳ４０２でＮＯの場合）には、メモリ１０ｂから選択されたチャンネルの受信方向番号を読出し、その受信方向を受信方向切替部２４に通知する（ステップＳ４０３）。
【０１１８】
受信方向切換部２４は、制御部１０から通知された受信方向への切換信号をスマートアンテナ３０へ出力する。スマートアンテナ３０は、受信方向切換部２４から受信方向切換信号を受けて、各アンテナ素子に対する励振を変化させて指向性を切換える（ステップＳ４０４）。
【０１１９】
制御部１０は、選択されたチャンネルが初めて選択されたチャンネルである場合（ステップＳ４０２でＹＥＳの場合）には、図７に示すフローチャートのステップＳ３０２〜Ｓ３１０の処理の実行を制御する（ステップＳ４０５）。
【０１２０】
さらに、制御部１０は、ステップＳ３０２〜Ｓ３１０の処理を実行することによって、選択されたチャンネルの受信方向が決定されると、選択されたチャンネルのチャンネル番号と対応させて、決定された受信方向の受信方向番号をメモリ１０ｂに保存する（ステップＳ４０６）。
【０１２１】
以下、ステップＳ４０７においてリモコン４２を通じて終了指令が選択されるまで、ユーザから選局指令があるごとに、上述したステップＳ４０２〜Ｓ４０６の処理を繰返す。
【０１２２】
以上の処理により、選択されたチャンネルが初回選択のときに、受信方向が自動で設定される。
【０１２３】
以上のように、実施の形態４によれば、オートスキャン時とは別のユーザによるチャンネルの選択時において、ユーザが選択したチャンネルが初めて選択されたチャンネルの場合に、選択したチャンネルについてスマートアンテナの受信方向を自動で決定するとともに、決定した受信方向を記憶し、ユーザが選択したチャンネルが２回目以降に選択されたチャンネルの場合に、記憶されている受信方向を用いるので、オートスキャン時にスマートアンテナの最適な受信方向を決定する処理が不要となり、オートスキャンを高速に行なうことができる。また、ユーザが選択したチャンネルが初めて選択されたチャンネルのときのみスマートアンテナの受信方向の決定を行なうので、ユーザがチャンネルを選択するごとに受信方向の決定のための処理時間を要するのを回避することができる。また、自動でスマートアンテナの受信方向が決定されるので、ユーザに操作を強いることがなくユーザの煩雑さを解消することができる。
【０１２４】
［実施の形態５］
実施の形態５は、実施の形態１〜実施の形態４の処理のいずれを実行するのかをユーザに確認および選択させることのできる放送受信装置に関する。
【０１２５】
図９は、この発明の実施の形態５に従う受信方向を決定するプログラムのフローチャートである。
【０１２６】
図９を参照して、制御部１０は、リモコン４２を通じてユーザから選局指令、すなわちチャンネルの選択を受けると（ステップＳ５０１でＹＥＳ）、ＯＳＤ２２ａを指示して、チャンネルが選択されるごとに受信方向を決定する方法を選択するかを確認するメッセージを表示させる。
【０１２７】
図１０（ａ）は、チャンネルが選択されるごとに受信方向を決定する方法を選択してよいかを確認するメッセージの一例を示す図である。
【０１２８】
制御部１０は、リモコン４２を通じてユーザからチャンネルを選択するごとに、受信方向を決定する方法を選択しない指令が入力、すなわち、図１０（ａ）においてＮＯが選択されると（ステップＳ５０２でＮＯの場合）、ＯＳＤ２２ａを指示して、初めて、そのチャンネルが選択されたときに受信方向を決定する方法を選択するかを確認するメッセージを表示させる。
【０１２９】
図１０（ｂ）は、初めて、そのチャンネルが選択されたときに受信方向を決定する方法を選択してよいかを確認するメッセージの一例を示す図である。
【０１３０】
制御部１０は、リモコン４２を通じてユーザから、初めてチャンネルが選択されたときに、受信方向を決定する方法を選択しない指令が入力、すなわち、図１０（ｂ）においてＮＯが選択されると（ステップＳ５０３でＮＯの場合）、ステップＳ５０２にもどり、再び、ＯＳＤ２２ａを指示して、図１０（ａ）に示すような、チャンネルが選択されるごとに受信方向を決定する方法を選択するかを確認するメッセージを表示させる。
【０１３１】
制御部１０は、リモコン４２を通じてユーザからチャンネルを選択するごとに、受信方向を決定する方法を選択する指令が入力、すなわち、図１０（ａ）においてＹＥＳが選択されると（ステップＳ５０２でＹＥＳの場合）、受信方向の決定をマニュアル行なうことを選択するかを確認するメッセージを表示させる。
【０１３２】
図１１（ａ）は、受信方向の決定をマニュアルで行なう方法を選択してよいかを確認するメッセージの一例を示す図である。
【０１３３】
制御部１０は、リモコン４２を通じてユーザから受信方向をマニュアルで決定する方法を選択しない指令が入力、すなわち、図１１（ａ）においてＮＯが選択されると（ステップＳ５０４でＮＯの場合）、ＯＳＤ２２ａを指示して、受信方向の決定を自動で行なう方法を選択するかを確認するメッセージを表示させる。
【０１３４】
図１１（ｂ）は、受信方向の決定を自動で行なう方法を選択してよいかを確認するメッセージの一例を示す図である。
【０１３５】
制御部１０は、リモコン４２を通じてユーザから、受信方向の決定を自動で行なう方法を選択しない指令が入力、すなわち、図１１（ｂ）においてＮＯが選択されると（ステップＳ５０５でＮＯの場合）、ステップＳ５０４にもどり、再び、ＯＳＤ２２ａを指示して、図１１（ａ）に示すような、受信方向の決定をマニュアルで行なう方法を選択するかを確認するメッセージを表示させる。
【０１３６】
制御部１０は、リモコン４２を通じてユーザから受信方向の決定をマニュアルで行なう方法を選択する指令が入力、すなわち、図１１（ａ）においてＹＥＳが選択されると（ステップＳ５０４でＹＥＳの場合）、ユーザによって第１のモードが選択されたと判断し、図４に示すフローチャートのステップＳ１０２〜Ｓ１０７の処理の実行を制御する（ステップＳ５０８）。
【０１３７】
また、制御部１０は、リモコン４２を通じてユーザから受信方向の決定を自動で行なう方法を選択する指令が入力、すなわち、図１１（ｂ）においてＹＥＳが選択されると（ステップＳ５０５でＹＥＳの場合）、ユーザによって第３のモードが選択されたと判断し、図７に示すフローチャートのステップＳ３０２〜Ｓ３０９の処理の実行を制御する（ステップＳ５０９）。
【０１３８】
一方、制御部１０は、リモコン４２を通じてユーザから初めてチャンネルが選択されたときに、受信方向を決定する方法を選択する指令が入力、すなわち、図１０（ｂ）においてＹＥＳが選択されると（ステップＳ５０３でＹＥＳの場合）、ＯＳＤ２２ａを指示して、受信方向の決定をマニュアル行なうことを選択するかを確認するメッセージを表示させる。
【０１３９】
図１１（ａ）は、受信方向の決定をマニュアルで行なう方法を選択してよいかを確認するメッセージの一例を示す図である。
【０１４０】
制御部１０は、リモコン４２を通じてユーザから受信方向をマニュアルで決定する方法を選択しない指令が入力、すなわち、図１１（ａ）においてＮＯが選択されると（ステップＳ５０６でＮＯの場合）、ＯＳＤ２２ａを指示して、受信方向の決定を自動で行なう方法を選択するかを確認するメッセージを表示させる。
【０１４１】
図１１（ｂ）は、受信方向の決定を自動で行なう方法を選択してよいかを確認するメッセージの一例を示す図である。
【０１４２】
制御部１０は、リモコン４２を通じてユーザから、受信方向の決定を自動で行なう方法を選択しない指令が入力、すなわち、図１１（ｂ）においてＮＯが選択されると（ステップＳ５０７でＮＯの場合）、ステップＳ５０６にもどり、再び、ＯＳＤ２２ａを指示して、図１１（ａ）に示すような、受信方向の決定をマニュアルで行なう方法を選択するかを確認するメッセージを表示させる。
【０１４３】
制御部１０は、リモコン４２を通じてユーザから受信方向の決定をマニュアルで行なう方法を選択する指令が入力、すなわち、図１１（ａ）においてＹＥＳが選択されると（ステップＳ５０６でＹＥＳの場合）、ユーザによって第２のモードが選択されたと判断し、図６に示すフローチャートのステップＳ２０２〜Ｓ２０６の処理の実行を制御する（ステップＳ５１０）。
【０１４４】
また、制御部１０は、リモコン４２を通じてユーザから受信方向の決定を自動で行なう方法を選択する指令が入力、すなわち、図１１（ｂ）においてＹＥＳが選択されると（ステップＳ５０７でＹＥＳの場合）、ユーザによって第４のモードが選択されたと判断し、図８に示すフローチャートのステップＳ４０２〜Ｓ４０６の処理の実行を制御する（ステップＳ５１１）。
【０１４５】
以上のように、実施の形態５によれば、実施の形態１〜実施の形態４の処理のいずれを実行するのかをユーザに確認および選択させることができるので、いずれの処理を実行しているのかをユーザが理解できるようにすることができるとともに、ユーザの嗜好にあった処理を選択することができる。
【０１４６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１４７】
【図１】この発明の実施の形態１に従う放送受信装置の概略構成図である。
【図２】この発明の実施の形態１に従うスマートアンテナの受信方向切換図である。
【図３】この発明の実施の形態１に従うオートスキャンを実行するプログラムのフローチャートである。
【図４】この発明の実施の形態１に従う選局時の受信方向を決定するプログラムのフローチャートである。
【図５】この発明の実施の形態１に従う映像信号と、選択している受信方向を表わす情報とを表示する画面の例を示す図である。
【図６】この発明の実施の形態２に従う選局時の受信方向を決定するプログラムのフローチャートである。
【図７】この発明の実施の形態３に従う選局時の受信方向を決定するプログラムのフローチャートである。
【図８】この発明の実施の形態４に従う選局時の受信方向を決定するプログラムのフローチャートである。
【図９】この発明の実施の形態５に従う受信方向を決定するプログラムのフローチャートである。
【図１０】（ａ）は、チャンネルが選択されるごとに受信方向を決定する方法を選択してよいかを確認するメッセージの一例を示す図であり、（ｂ）は、初めて、そのチャンネルが選択されたときに受信方向を決定する方法を選択してよいかを確認するメッセージの一例を示す図である。
【図１１】（ａ）は、受信方向の設定をマニュアルで行なう方法を選択してよいかを確認するメッセージの一例を示す図であり、（ｂ）は、受信方向の設定を自動で行なう方法を選択してよいかを確認するメッセージの一例を示す図である。
【符号の説明】
【０１４８】
１  放送受信装置、１０  制御部、１０ａ  ＣＰＵ、１０ｂ  メモリ、１６  チューナ、１８  デジタルデコーダ、２０  アナログデコーダ、２２  ＭＰＥＧデコーダ、２２ａ  ＯＳＤ、２４  受信方向切換部、２６  リモコン受信部、３０  スマートアンテナ、４０  テレビ、４２  リモコン、１００  選択受信方向表示。
【図１】
2006042157.tif 000003
【図２】
2006042157.tif 000004
【図３】
2006042157.tif 000005
【図４】
2006042157.tif 000006
【図５】
2006042157.tif 000007
【図６】
2006042157.tif 000008
【図７】
2006042157.tif 000009
【図８】
2006042157.tif 000010
【図９】
2006042157.tif 000011
【図１０】
2006042157.tif 000012
【図１１】
2006042157.tif 000013